(57)【特許請求の範囲】
【請求項１】
子機との間で無線通信可能な親機であって、
処理の実行指示を受付ける操作部と、
前記親機を介し、前記子機と外部装置との間で通話が行われている間に、前記操作部により前記処理の実行指示を受付けた場合、前記外部装置に対してデータを送信する送信手段と、
前記子機と前記外部装置との間で通話が行われている間に、前記操作部により前記処理の実行指示を受付けた場合、前記子機が前記親機の所定範囲外に存在するかを判断する子機位置判断手段と、
前記子機位置判断手段により、前記子機が前記親機の所定範囲外に存在すると判断される場合、前記送信手段による前記データの送信を禁止する禁止手段とを備える親機。
【請求項２】
子機との間で無線通信可能な親機であって、
処理の実行指示を受付ける操作部と、
所定位置に載置された原稿を読み取り、前記原稿に対応したデータを生成する生成手段と、
前記所定位置に原稿が載置されたかを判断する原稿判断手段と、
前記親機を介し、前記子機と外部装置との間で通話が行われている間に、前記操作部により前記処理の実行指示を受付けた場合、前記生成手段により生成された前記データを前記外部装置に対して送信する送信手段と、
前記子機と前記外部装置との間で通話が行われている間に、前記子機が前記親機の所定範囲外に存在するかを判断する子機位置判断手段と、
前記子機位置判断手段により、前記子機が前記親機の所定範囲外に存在すると判断される場合であって、前記原稿判断手段により、前記所定位置に原稿が載置されたと判断される場合に、前記送信手段による前記データの送信を禁止する禁止手段とを備える親機。
【請求項３】
前記禁止手段は、
前記子機が前記親機の所定範囲外に存在する間に、前記原稿判断手段により、前記所定位置に原稿が載置されたと判断される場合、前記原稿が前記所定位置から取り除かれるまでの間、前記送信手段による前記データの送信を禁止するものである請求項２記載の親機。
【請求項４】
子機との間で無線通信可能な親機であって、
処理の実行指示を受付ける操作部と、
前記操作部により前記処理の実行指示を受付けた場合に実行される動作が互いに異なる複数種類のモードのうち、いずれかを設定する設定手段と、
前記親機を介し、前記設定手段によりファクシミリモードが設定されている場合において、前記子機と外部装置との間で通話が行われている間に、前記操作部により前記処理の実行指示を受付けた場合、前記外部装置に対してデータを送信する送信手段と、
前記子機と前記外部装置との間で通話が行われている間に、前記子機が前記親機の所定範囲外に存在するかを判断する子機位置判断手段と、
前記子機位置判断手段により、前記子機が前記親機の所定範囲外に存在すると判断される場合、前記送信手段による前記データの送信と前記設定手段によるファクシミリモードの設定とを禁止する禁止手段とを備える親機。
【請求項５】
前記禁止手段は、前記設定手段により前記ファクシミリモードが設定されている場合において、前記子機位置判断手段により、前記子機が前記親機の所定範囲外に存在すると判断される場合、前記設定手段により設定されるモードをファクシミリモード以外のモードに切替えるものである請求項４記載の親機。
【請求項６】
前記設定手段により前記ファクシミリモード以外のモードが設定されている場合において、前記子機位置判断手段により、前記子機が前記親機の所定範囲内に存在すると判断される場合、前記設定手段により設定されるモードをファクシミリモードに切替えるモード切替手段を備える請求項４または５に記載の親機。
【請求項７】
前記子機位置判断手段は、前記子機と前記親機との間の電波強度に基づいて、前記子機が前記親機の所定範囲外に存在するかを判断するものである請求項１から６のいずれかに記載の親機。
【発明の詳細な説明】
【技術分野】
【０００１】
本発明は、親機に関するものである。
【背景技術】
【０００２】
子機と親機とを備えた電話装置が知られている。このような電話装置において、親機がファクシミリ機能を有する場合がある。特許文献１には、子機での通話中に、親機に設けられたファクシミリ送信ボタンをユーザが押下する場合、通話中の相手先へデータをファクシミリ送信する技術が開示されている。
【先行技術文献】
【特許文献】
【０００３】
【特許文献１】特開２００７−８９０４１号公報
【発明の概要】
【発明が解決しようとする課題】
【０００４】
しかしながら、上記従来の技術では、第１のユーザが子機で通話中、第２のユーザが親機のファクシミリ送信ボタンを押下した場合、通話中の相手先にデータが送信されるので、第２のユーザにとって意図しない相手先へデータが送信される虞があった。特に、親機が、ファクシミリモード、コピーモード、スキャンモードなどの複数のモードに切替え可能な複合機である場合、１つのスタートキーが、ファクシミリ送信の実行指示受付け、コピーの実行指示受付け、及びスキャンの実行指示受付けを兼ねることがある。このような親機において、コピーを所望するあるユーザが、モードの切り替えを行わず、誤ってファクシミリモードのままでスタートキーを押下してしまった場合、子機において別のユーザが通話中であると、コピーすべきであったデータを誤ってファクシミリ送信してしまう虞がある。
【０００５】
本発明は、上述した問題点を解決するためになされたものであり、誤送信の発生を抑制できる親機を提供することを目的とする。
【課題を解決するための手段】
【０００６】
この目的を達成するために、本発明の親機は、子機との間で無線通信可能なものであって、処理の実行指示を受付ける操作部と、前記親機を介し、前記子機と外部装置との間で通話が行われている間に、前記操作部により前記処理の実行指示を受付けた場合、前記外部装置に対してデータを送信する送信手段と、前記子機と前記外部装置との間で通話が行われている間に、前記操作部により前記処理の実行指示を受付けた場合、前記子機が前記親機の所定範囲外に存在するかを判断する子機位置判断手段と、前記子機位置判断手段により、前記子機が前記親機の所定範囲外に存在すると判断される場合、前記送信手段による前記データの送信を禁止する禁止手段とを備える。
または、本発明の親機は、子機との間で無線通信可能なものであって、処理の実行指示を受付ける操作部と、所定位置に載置された原稿を読み取り、前記原稿に対応したデータを生成する生成手段と、前記所定位置に原稿が載置されたかを判断する原稿判断手段と、前記親機を介し、前記子機と外部装置との間で通話が行われている間に、前記操作部により前記処理の実行指示を受付けた場合、前記生成手段により生成された前記データを前記外部装置に対して送信する送信手段と、前記子機と前記外部装置との間で通話が行われている間に、前記子機が前記親機の所定範囲外に存在するかを判断する子機位置判断手段と、前記子機位置判断手段により、前記子機が前記親機の所定範囲外に存在すると判断される場合であって、前記原稿判断手段により、前記所定位置に原稿が載置されたと判断される場合に、前記送信手段による前記データの送信を禁止する禁止手段とを備える。
または、本発明の親機は、子機との間で無線通信可能なものであって、処理の実行指示を受付ける操作部と、前記操作部により前記処理の実行指示を受付けた場合に実行される動作が互いに異なる複数種類のモードのうち、いずれかを設定する設定手段と、前記親機を介し、前記設定手段によりファクシミリモードが設定されている場合において、前記子機と外部装置との間で通話が行われている間に、前記操作部により前記処理の実行指示を受付けた場合、前記外部装置に対してデータを送信する送信手段と、前記子機と前記外部装置との間で通話が行われている間に、前記子機が前記親機の所定範囲外に存在するかを判断する子機位置判断手段と、前記子機位置判断手段により、前記子機が前記親機の所定範囲外に存在すると判断される場合、前記送信手段による前記データの送信と前記設定手段によるファクシミリモードの設定とを禁止する禁止手段とを備える。
【０００７】
また、前記子機位置判断手段は、前記子機と前記親機との間の電波強度に基づいて、前記子機が前記親機の所定範囲外に存在するかを判断しても良い。
【０００８】
なお、本発明は、親機と子機とを備える電話装置、親機を制御する制御装置、親機を制御する親機制御プログラム、親機制御プログラムを記録する記録媒体、親機制御方法等の種々の態様で構成することができる。
【発明の効果】
【０００９】
請求項１記載の親機によれば、子機と外部装置との間で通話が行われている間に、操作部により処理の実行指示が受付けられた場合に、子機位置判断手段により子機が親機の所定範囲外に存在するかが判断される。その結果、子機が親機の所定範囲外に存在すると判断される場合には、送信手段によるデータの送信が禁止される。よって、誤送信の発生を抑制できるという効果がある。
【００１０】
請求項２記載の親機によれば、子機と外部装置との間で通話が行われている間に、子機位置判断手段により子機が親機の所定範囲外に存在すると判断される場合であって、原稿判断手段により所定位置に原稿が載置されたと判断される場合、すなわち、子機を使用中のユーザとは別のユーザによって原稿が載置された可能性が高い場合、データの送信が禁止されるので、誤送信の発生を抑制できるという効果がある。
【００１１】
【００１２】
【００１３】
請求項３記載の親機によれば、請求項２の奏する効果に加え、原稿が所定位置から取り除かれるまでの間、送信手段によるデータの送信が禁止されるので、誤送信の発生を確実に抑制できるという効果がある。
【００１４】
請求項４記載の親機によれば、子機と外部装置との間で通話が行われている間に、子機位置判断手段により子機が親機の所定範囲外に存在すると判断される場合には、送信手段によるデータの送信と、設定手段によるファクシミリモードの設定とが禁止されるので、誤ったファクシミリ送信が実行されてしまうことを抑制できるという効果がある。
【００１５】
請求項５記載の親機によれば、請求項４の奏する効果に加え、子機が親機の所定範囲外に存在すると判断される場合、ファクシミリモード以外のモードに切替えられるので、子機での通話開始前にファクシミリモードが設定されていた場合であっても、誤ったファクシミリ送信が実行されてしまうことを抑制できるという効果がある。
【００１６】
請求項６記載の親機によれば、請求項４または５の奏する効果に加え、子機が親機の所定範囲内に存在すると判断される場合、ファクシミリモードに切替えられるので、子機で通話中のユーザが、データをファクシミリ送信したい場合にモード切替の操作を省略できるという効果がある。
請求項７記載の親機によれば、請求項１から６のいずれかに奏する効果に加え、子機と親機との間の電波強度に基づいて、子機が親機の所定範囲外に存在するか否かが判断されるので、誤送信の発生を確実に抑制できるという効果がある。
【図面の簡単な説明】
【００１７】
【図１】本発明の第１実施形態であるＭＦＰの電気的構成を示すブロック図である。
【図２】第１実施形態のＭＦＰにおいて実行される子機監視処理を示すフローチャートである。
【図３】第１実施形態のＭＦＰにおいて実行されるスタートキー押下時処理を示すフローチャートである。
【図４】第２実施形態のＭＦＰにおいて実行される子機監視処理を示すフローチャートである。
【図５】（ａ）は、第３実施形態のＭＦＰにおいて実行される子機監視処理を示すフローチャートであり、（ｂ）は、第３実施形態のＭＦＰにおいて実行されるスタートキー押下時処理を示すフローチャートである。
【図６】第４実施形態のＭＦＰにおいて実行される子機監視処理を示すフローチャートである。
【発明を実施するための形態】
【００１８】
以下、本発明の好ましい実施形態について、添付図面を参照して説明する。図１は、本発明の第１実施形態の複合機（以下、「ＭＦＰ（Ｍｕｌｔｉ  Ｆｕｎｃｔｉｏｎ  Ｐｅｒｉｐｈｅｒａｌ）」と称す）１の電気的構成を模式的に示すブロック図である。ＭＦＰ１は、電話機能、ファクシミリ機能、スキャナ機能、及び、コピー機能などの複数の機能を有する。本実施形態のＭＦＰ１は、ファクシミリ機能による誤送信の発生を抑制できるように構成されている。
【００１９】
ＭＦＰ１は、ＣＰＵ１１、ＲＯＭ１２、ＲＡＭ１３、操作キー１５、ＬＣＤ１６、送受話器１７、デジタルコードレス通信制御回路１９（以下、「ＤＣＬ（Ｄｉｇｉｔａｌ  Ｃｏｒｄｌｅｓｓ）通信制御回路１９」と称す）、スキャナ２１、プリンタ２２、インターネットインターフェイス２５（以下、インターネットＩ／Ｆ２５と称す）、ＮＣＵ２６、モデム２７を主に有している。
【００２０】
ＣＰＵ１１、ＲＯＭ１２、ＲＡＭ１３は、バスライン２８を介して互いに接続されている。また、操作キー１５、ＬＣＤ１６、送受話器１７、ＤＣＬ通信制御回路１９、スキャナ２１、プリンタ２２、インターネットＩ／Ｆ２５、ＮＣＵ２６、モデム２７、バスライン２８は、入出力ポート２９を介して互いに接続されている。
【００２１】
ＣＰＵ１１は、ＲＯＭ１２やＲＡＭ１３に記憶される各種固定値やプログラム、或いは、ＤＣＬ通信制御回路１９、ＮＣＵ２６、インターネットＩ／Ｆ２５を介して送受信される各種信号に従って、ＭＦＰ１が有している各機能の制御や、入出力ポート２９と接続された各部を制御する演算処理装置である。
【００２２】
ＲＯＭ１２は、ＣＰＵ１１で実行される制御プログラム１２ａや、その制御プログラム１２ａで参照される固定値などを格納した書換不能な不揮発性のメモリである。図２，図３のフローチャートに示す処理を行うプログラムは、この制御プログラム１２ａに含まれる。
【００２３】
ＲＡＭ１３は、ＭＦＰ１の各操作の実行時に各種のデータを一時的に記憶する書換可能な揮発性のメモリであり、選択モードメモリ１３ａ、ＦＡＸ送信禁止フラグ１３ｂが設けられている。ユーザは、操作キー１５に含まれるモード選択キー（図示せず）を操作することにより、ファクシミリモード（以下、ＦＡＸモードと記載）、コピーモード、スキャンモードのいずれかを選択し、選択モードメモリ１３ａに設定する。
【００２４】
なお、外部装置１０２とＭＦＰ１または外部装置１０２と子機４０との間の通話中においても、選択モードメモリ１３ａには、ＦＡＸモード、コピーモード、スキャンモードのいずれかが設定されているものとして説明する。そして、ユーザは、外部装置１０２との通話中においても、コピーの実行など、選択モードメモリ１３ａに設定されたモードの機能を利用可能である。
【００２５】
ＦＡＸ送信禁止フラグ１３ｂは、ファクシミリ送信を許可するか否かを示すフラグである。ＦＡＸ送信禁止フラグ１３ｂがオンである場合、後述するスタートキー１５ａが押下されたとしても、ファクシミリ送信の実行を禁止する。一方、ＦＡＸ送信禁止フラグ１３ｂがオフである場合において、スタートキー１５ａが押下された場合には、選択モードメモリ１３ａにＦＡＸモードが設定されていることを条件として、ファクシミリ送信が実行される。
【００２６】
操作キー１５には、電話機能やファクシミリ機能を利用する場合に電話番号を入力するための数字ボタンや、ＭＦＰ１の電源のオン／オフを行うための電源ボタンなどの各種ボタンが設けられている。また、操作キー１５には、処理の実行指示を受付けるためのスタートキー１５ａが設けられている。スタートキー１５ａが押下された場合、ＭＦＰ１は、設定中のモードに応じて異なる動作をする。コピーモードまたはスキャンモードが設定されているときにスタートキー１５ａが押下された場合、ＭＦＰ１は、それぞれ、コピーを実行しまたはスキャンを実行する。
【００２７】
一方、ＦＡＸモードが設定されているときにスタートキー１５ａが押下された場合、ＭＦＰ１は、電話回線網１００を介して外部装置１０２へデータをファクシミリ送信する。なお、ＦＡＸモードが設定されている場合であって、ＭＦＰ１または子機４０と外部装置１０２との間で通話が行われている間に、スタートキー１５ａが押下された場合、ＭＦＰ１は、外部装置１０２との間の通話を終了させ、通話相手であった外部装置１０２に対して、データをファクシミリ送信する。ここで、「通話」とは、子機４０または送受話器１７に入力された音声に基づく信号を、外部装置１０２へ送信し、または外部装置１０２のマイクロフォン（図示せず）から入力された音声に基づく信号を、ＭＦＰ１において受信し、子機４０または送受話器１７から出力することを意味している。
【００２８】
ＬＣＤ１６は、操作手順や実行中の処理の状態を表示する。送受話器１７は、ユーザが電話機能を使用して、電話回線網１００（図２参照）を介して接続される外部装置１０２との間で通話を行う場合に使用される。
【００２９】
ＤＣＬ通信制御回路１９は、ＤＣＬ用アンテナ２０を有しており、同じくＤＣＬ用アンテナ３８を有する子機４０との間でデジタルコードレス方式による無線通信３００を行いながら、通話による音声に基づいて生成された信号の送受信を行う回路である。子機４０は、ＤＣＬ通信制御回路１９を介してＭＦＰ１の本体と無線通信３００を行うことにより、電話回線網１００を介して外部装置１０２との間で通話を行う電話機能を実現している。
【００３０】
スキャナ２１は、所定位置に載置された原稿を読み取り、原稿に対応したデータを生成する。プリンタ２２は、画像データを印刷出力する。インターネットＩ／Ｆ２５は、ＭＦＰ１をインターネット（図示せず）に接続するためのインターフェイスで、インターネットに接続された外部装置（図示せず）との間で、データの送受信を行うものである。
【００３１】
ＮＣＵ２６は、電話回線網１００と接続されており、電話回線網１００へのダイヤル信号の送出や、電話回線網１００からの呼出信号の応答などの制御を行うものである。ＭＦＰ１の電話機能を動作させる場合、電話回線網１００から入力された信号はＮＣＵ２６を介して送受話器１７、若しくは、ＮＣＵ２６およびＤＣＬ通信制御回路１９を介して子機４０に送信され、それぞれに設けられたスピーカ（図示せず）から、その信号に対応する音声が出力される。また、送受話器１７もしくは子機４０に設けられたマイクロフォン（図示せず）に入力された音声はデジタル信号に変換され、ＮＣＵ２６（子機４０の場合はＤＣＬ通信制御装置１９およびＮＣＵ２６）を介して電話回線網１００に出力される。
【００３２】
モデム２７は、ファクシミリ機能により送信が指示されたデータを、電話回線網１００に伝送可能な信号に変調してＮＣＵ２６を介して送信したり、電話回線網１００からＮＣＵ２６を介して入力された信号を受信し、ＬＣＤ１６に表示したり、プリンタ２２で印刷出力可能な画像データに復調する。
【００３３】
図２は、ＭＦＰ１のＣＰＵ１１が実行する第１実施形態の子機監視処理を示すフローチャートである。この処理は、子機４０と外部装置１０２との間で通話が行われている間、子機４０がＭＦＰ１の所定範囲外に存在するか否かに応じて、ＦＡＸ送信禁止フラグ１３ｂのオンオフを切替える処理である。この処理は、ＭＦＰ１の電源投入後に実行される。
【００３４】
まず、ＣＰＵ１１は、ステップＳ２０２（以下、ステップを省略）において、ＦＡＸ送信禁止フラグ１３ｂをオフにする（Ｓ２０２）。次に、ＣＰＵ１１は、子機４０と外部装置１０２との間で通話が行われているか否かを判断する（Ｓ２０４）。Ｓ２０４が否定される場合（Ｓ２０４：Ｎｏ）、ＣＰＵ１１は処理を待機する。
【００３５】
このようにして処理を繰り返すうちに、子機４０と外部装置１０２との間で通話が行われていると判断される場合（Ｓ２０４：Ｙｅｓ）、次に、ＣＰＵ１１は、ＲＳＳＩ（Received  Signal  Strength  Indicator）を取得する（Ｓ２０６）。ＲＳＳＩは、その値が、ＭＦＰ１と子機４０との間の電波強度を示している。ＭＦＰ１がＤＣＬ通信制御回路１９から電波を送信すると、子機４０は、受け取った電波の強さをＲＳＳＩの値としてＭＦＰ１に送信する。よって、ＣＰＵ１１が取得したＲＳＳＩの値が大きいほど、ＭＦＰ１と子機４０との間の無線通信３００（図１）の電波強度が高く、したがって、ＭＦＰ１と子機４０との間の距離が近いことが分かる。なお、本実施形態において、ＲＳＳＩは、−２０から６０の範囲の値であるものとする。
【００３６】
次に、ＣＰＵ１１は、子機４０がＭＦＰ１の所定範囲外に存在するかを、ＲＳＳＩの値に基づいて判断する（Ｓ２０８）。具体的には、ＲＳＳＩの値が所定値（例えば５０）以上である場合には、子機４０がＭＦＰ１の所定範囲内に存在すると判断する。一方、ＲＳＳＩの値が所定値未満である場合には、外部装置１０２との間で通話中の子機４０がＭＦＰ１の所定範囲外に存在すると判断する。
【００３７】
ここで、ＲＳＳＩの値は、子機４０とＭＦＰ１との距離だけではなく、障害物の有無など周辺の環境に応じて変動する場合がある。したがって、ＲＳＳＩの値は、子機４０とＭＦＰ１との間の厳密な距離を示すものではない。しかしながら、本実施形態において、「子機４０がＭＦＰ１の所定範囲外に存在するか否かを判断する」とは、子機４０を使用中のユーザが、ＭＦＰ１の操作キー１５を操作不可能な程度に、子機４０がＭＦＰ１から離隔しているか否かを判断できることであれば良く、ＭＦＰ１を中心とする一定半径（例えば５ｍ）の円外に子機４０が存在しているか否かを判断することまでを要求していない。したがって、本実施形態においては、ＲＳＳＩの値に基づいて、子機４０がＭＦＰ１の所定範囲外に存在するか否かを判断している。ただし、子機４０とＭＦＰ１との間の距離を測定できる測定器がＭＦＰ１に設けられている場合、当該測定器により測定される距離に基づいて、子機４０がＭＦＰ１の所定範囲外にあるか否かを判断しても良い。
【００３８】
次に、Ｓ２０８の判断において、ＲＳＳＩの値が所定値未満であると判断される場合（Ｓ２０８：Ｎｏ）、すなわち、子機４０がＭＦＰ１の所定範囲外に存在すると判断される場合、ＣＰＵ１１は、ＦＡＸ送信禁止フラグ１３ｂをオンにする（Ｓ２１１）。このようにすれば、ユーザによってスタートキー１５ａが押下されたとしても、データのファクシミリ送信を禁止できる。一方、Ｓ２０８の判断において、ＲＳＳＩの値が所定値以上であると判断される場合（Ｓ２０８：Ｙｅｓ）、すなわち、子機４０がＭＦＰ１の所定範囲内に存在すると判断される場合、ＣＰＵ１１は、ＦＡＸ送信禁止フラグ１３ｂをオフする（Ｓ２１０）。すなわち、データのファクシミリ送信を許可する。
【００３９】
次に、ＣＰＵ１１は、通話が終了したか否かを判断する（Ｓ２１２）。Ｓ２１２の判断が否定される間（Ｓ２１２：Ｎｏ）、ＣＰＵ１１は、Ｓ２０６に戻り処理を繰り返す。このようにして処理を繰り返すうちに、Ｓ２１２の判断が肯定されると（Ｓ２１２：Ｙｅｓ）、ＣＰＵ１１は、回線切断など公知の処理を実行し、子機監視処理を終了する。
【００４０】
図３は、第１実施形態のＭＦＰ１のＣＰＵ１１が実行するスタートキー押下時処理を示すフローチャートである。この処理は、子機監視処理（図２）とは独立して実行される処理であり、ＭＦＰ１の電源投入後、定期的に実行される。
【００４１】
まず、ＣＰＵ１１は、スタートキー１５ａが押下されたか否かを判断する（Ｓ３０２）。スタートキー１５ａが押下されない場合（Ｓ３０２：Ｎｏ）、ＣＰＵ１１はこの処理を終了する。
【００４２】
一方、スタートキー１５ａが押下された場合（Ｓ３０２：Ｙｅｓ）、次にＣＰＵ１１は、選択モードメモリ１３ａにいずれのモードが設定されているかを判断する（Ｓ３０４）。選択モードメモリ１３ａにスキャンモードが設定されている場合（Ｓ３０４：ＳＣＡＮ）、ＣＰＵ１１は、所定位置に載置された原稿をスキャナ２１により読み取らせてデータを生成させ、そのデータを予め定められた外部装置に出力するスキャンを実行し（Ｓ３０６）、この処理を終了する。
【００４３】
選択モードメモリ１３ａにコピーモードが設定されている場合（Ｓ３０４：ＣＯＰＹ）、ＣＰＵ１１は、所定位置に載置された原稿をスキャナ２１により読み取らせてデータを生成させ、そのデータをプリンタ２２に印刷出力させるコピーを実行し（Ｓ３０８）、処理を終了する。
【００４４】
選択モードメモリ１３ａにＦＡＸモードが設定されている場合（Ｓ３０４：ＦＡＸ）、ＣＰＵ１１は、ＦＡＸ送信禁止フラグ１３ｂがオンか否かを判断する（Ｓ３１０）。ＦＡＸ送信禁止フラグ１３ｂがオンの場合（Ｓ３１０：Ｙｅｓ）、ＣＰＵ１１は処理を終了する。すなわち、スタートキー１５ａの押下に関わらず、データのファクシミリ送信を実行しない。
【００４５】
一方、ＦＡＸ送信禁止フラグ１３ｂがオフの場合（Ｓ３１０：Ｎｏ）、ＣＰＵ１１は、ＭＦＰ１の送受話器１７または子機４０による通話中か否かを判断する（Ｓ３１２）。すなわち、外部装置１０２との間で通話が行われている間に、スタートキー１５ａが押下されたか否かを判断する。ＭＦＰ１の送受話器１７または子機４０による通話中であると判断される場合（Ｓ３１２：Ｙｅｓ）、ＣＰＵ１１は、通話を終了させる（Ｓ３１４）。次に、ＣＰＵ１１は、所定位置に載置された原稿をスキャナ２１に読み取らせてデータを生成させ、スキャナ２１によって生成されたデータを、直前までの通話相手であった外部装置１０２へ電話回線網１００を通じて送信するファクシミリ送信を実行する（Ｓ３１８）。そして、ＣＰＵ１１は、回線を切断し（Ｓ３２０）、処理を終了する。
【００４６】
一方、通話中ではないと判断される場合（Ｓ３１２：Ｎｏ）、ＣＰＵ１１は、回線を接続し、スタートキー１５ａの押下に先だって入力されたファクシミリ番号の外部装置１０２に発信する（Ｓ３１６）。そして、ＣＰＵ１１は、発信に応答した外部装置１０２に対してファクシミリ送信を実行し（Ｓ３１８）、回線を切断して（Ｓ３２０）処理を終了する。
【００４７】
第１実施形態のＭＦＰ１によれば、子機４０と外部装置１０２との間で通話が行われている間に、子機４０がＭＦＰ１の所定範囲外に存在すると判断される場合、すなわち、子機４０を用いて通話中のユーザと、ＭＦＰ１のスタートキー１５ａを押下した人物とが異なる可能性が高い場合には、データのファクシミリ送信が禁止されるので、誤送信の発生を抑制できる。一方、子機４０と外部装置１０２との間で通話が行われている間であっても、子機４０がＭＦＰ１の所定範囲内に存在すると判断される場合、すなわち、子機４０を用いて通話中のユーザと、ＭＦＰ１のスタートキー１５ａを押下した人物とが同一人物である可能性が高い場合には、スタートキー１５ａの押下を条件として、通話相手の外部装置１０２へのファクシミリ送信が実行されるので、ユーザにとって使い勝手が良い。
【００４８】
また、第１実施形態のＭＦＰ１によれば、子機４０とＭＦＰ１との間の電波強度を示すＲＳＳＩの値に基づいて、子機４０がＭＦＰ１の所定範囲外に存在するか否かを判断できるので、処理の複雑化を抑制しつつ、誤送信の発生を確実に抑制できる。
【００４９】
図４を参照して第２実施形態について説明する。第２実施形態のＭＦＰ１の電気的構成は、第１実施形態におけるＭＦＰ１と同一のものであるとして説明を行う。また、第２実施形態におけるＭＦＰ１のＣＰＵ１１によって実行される子機監視処理は、第１実施形態の子機監視処理と一部異なる。以下、第１実施形態と同一の部分には同一の符号を付してその説明を省略し、第１実施形態と異なる点について説明する。また、第２実施形態のＭＦＰ１は、第１実施形態で説明したスタートキー押下時処理と同一の処理を実行する。
【００５０】
図４は、第２実施形態のＭＦＰ１のＣＰＵ１１が実行する子機監視処理を示すフローチャートである。子機４０と外部装置１０２との間で通話が行われていると判断される場合（Ｓ２０４：Ｙｅｓ）、ＣＰＵ１１は、所定位置に原稿が載置されたか（セットされたか）を判断する（Ｓ４０２）。ここで所定位置とは、スキャナ２１に読み取らせるべき原稿が載置される位置のことであり、例えば、スキャナ２１が、ガラス台に固定された原稿を読み取るフラットベッドタイプである場合には、ガラス台が所定位置に相当する。また、ＭＦＰ１が自動原稿送り装置を備え、自動原稿送り装置の載置台から１枚ずつ送られる原稿をスキャナ２１が読み取るように構成されている場合には、自動原稿送り装置の載置台が、所定位置に相当する。
【００５１】
所定位置に原稿が載置されていないと判断される場合（Ｓ４０２：Ｎｏ）、ＣＰＵ１１は、Ｓ２０４から処理を繰り返す。一方、所定位置に原稿が載置されたと判断される場合（Ｓ４０２：Ｙｅｓ）、ＣＰＵ１１は、ＲＳＳＩを取得し（Ｓ２０６）、ＲＳＳＩの値が所定値以上であるか否かを判断する（Ｓ２０８）。ＲＳＳＩの値が所定値未満であると判断される場合（Ｓ２０８：Ｎｏ）、すなわち、子機４０がＭＦＰ１の所定範囲外に存在する間に、原稿が所定位置に載置されたと判断される場合、子機４０で通話中のユーザとは別のユーザによって、原稿が載置された可能性が高い。よって、本実施形態では、Ｓ２０８の判断が否定される場合（Ｓ２０８：Ｎｏ）、ＦＡＸ送信禁止フラグ１３ｂをオンとし（Ｓ２１１）、データのファクシミリ送信を禁止する。
【００５２】
次に、ＣＰＵ１１は、所定位置に原稿がセットされたままであるか否かを判断する（Ｓ４０４）。Ｓ４０４の判断が肯定される場合（Ｓ４０４：Ｙｅｓ）、ＣＰＵ１１はＳ２０６から処理を繰り返す。このようにして処理を繰り返すうちに、ＲＳＳＩの値が所定値以上となった場合であっても（Ｓ２０８：Ｙｅｓ）、すなわち、子機４０で通話中のユーザがＭＦＰ１に近づき、ＭＦＰ１の所定範囲内に子機４０が入った場合であっても、ＣＰＵ１１は、ＦＡＸ送信禁止フラグ１３ｂをオンのままとする。
【００５３】
つまり、子機４０がＭＦＰ１の所定範囲外に存在する間に、所定位置に原稿が載置されたと判断される場合には、子機４０で通話中のユーザとは別のユーザによって載置された可能性が高いので、原稿の載置後に、子機４０がＭＦＰ１に近づいたとしても、データの送信を禁止する。
【００５４】
このようにして処理を繰り返すうちに、所定位置に載置された原稿が取り除かれる場合（Ｓ４０４：Ｎｏ）、ＣＰＵ１１はＦＡＸ送信禁止フラグ１３ｂをオフする（Ｓ２０２）。子機４０で通話中のユーザとは別のユーザによって載置された可能性が高い原稿が、所定位置から取り除かれたからである。
【００５５】
一方、所定位置に原稿が載置され（Ｓ４０２：Ｙｅｓ）、その原稿がセットされている間に取得されたＲＳＳＩの値が、全て所定値以上であると判断される場合（Ｓ２０８：Ｙｅｓ）、所定位置に原稿を載置したユーザと、子機４０で通話中のユーザとは同一人物である可能性が高い。また、子機４０で通話中のユーザとは別のユーザによって原稿が載置された場合であっても、子機４０で通話中のユーザが知った上で、別のユーザが原稿を載置した可能性が高い。
【００５６】
よって、そのような場合、第２実施形態の子機監視処理においては、ＦＡＸ送信禁止フラグ１３ｂをオフのままとする。このようにすれば、スタートキー１５ａが押下される場合には、通話相手の外部装置１０２へのファクシミリ送信が実行され、使い勝手がよい。
【００５７】
また、所定位置に原稿が載置されて（Ｓ４０２）、最初に取得されたＲＳＳＩの値が所定値以上であると判断されたが（Ｓ２０８：Ｙｅｓ）、処理を繰り返すうちに、ＲＳＳＩの値が所定値未満となる場合（Ｓ２０８：Ｎｏ）、ＣＰＵ１１は、ＦＡＸ送信禁止フラグ１３ｂをオンとする（Ｓ２１１）。すなわち、所定位置に原稿を載置したユーザと、子機４０で通話中のユーザとが同一人物である可能性が高くても、子機４０で通話中のユーザがＭＦＰ１の所定範囲外に出た場合には、ファクシミリ送信を禁止するのである。このようにすれば、子機４０で通話中のユーザが、所定位置に原稿を載置したままＭＦＰ１から離れ、別のユーザが誤ってスタートキー１５ａを押下してしまった場合であっても、誤送信の発生を抑制できる。
【００５８】
第２実施形態のＭＦＰ１によれば、ＭＦＰ１の所定範囲外に子機４０が存在する間に、所定位置に原稿が載置された場合、すなわち、子機４０を使用するユーザと、所定位置に原稿を載置したユーザとが異なる可能性が高い場合、データの送信が禁止されるので、誤送信の発生を抑制できる。また、原稿が所定位置から取り除かれるまでの間、データの送信が禁止されるので、誤送信の発生を確実に抑制できる。
【００５９】
図５を参照して第３実施形態について説明する。第３実施形態のＭＦＰ１は、ＦＡＸ送信禁止フラグ１３ｂが設けられていない点において、図１に示した第１実施形態のＭＦＰ１と異なるが、その他の構成は同一であるため、電気的構成の図示は省略する。また、第３実施形態におけるＭＦＰ１のＣＰＵ１１によって実行される子機監視処理は、第１実施形態の子機監視処理と一部異なる。以下、第１実施形態と同一の部分には同一の符号を付してその説明を省略し、第１実施形態と異なる点について説明する。
【００６０】
図５（ａ）は、第３実施形態のＭＦＰ１のＣＰＵ１１が実行する子機監視処理を示すフローチャートである。まず、ＣＰＵ１１は、子機４０による通話中であると判断される場合（Ｓ２０４：Ｙｅｓ）、ＲＳＳＩを取得し（Ｓ２０６）、ＲＳＳＩの値に基づいて、子機４０がＭＦＰ１の所定範囲外に存在するか否かを判断する（Ｓ２０８）。ＲＳＳＩの値が所定値以上であると判断される場合（Ｓ２０８：Ｙｅｓ）、ＣＰＵ１１は、選択モードメモリ１３ａにＦＡＸモードが設定されているか否かを判断する（Ｓ５０２）。
【００６１】
ＦＡＸモード以外のモードが設定されている場合（Ｓ５０２：Ｎｏ）、ＣＰＵ１１は、選択モードメモリ１３ａにより設定されるモードをＦＡＸモードに切替える（Ｓ５０４）。このようにすれば、子機４０がＭＦＰ１の所定範囲内に存在する場合、選択モードメモリ１３ａにはＦＡＸモードが自動的に設定されるので、子機４０で通話中のユーザが、データをファクシミリ送信したい場合に、モード切替の作業を省略できる。
【００６２】
一方、ＲＳＳＩの値が所定値以上であると判断される場合において（Ｓ２０８：Ｙｅｓ）、ＦＡＸモードが設定されていると判断される場合（Ｓ５０２：Ｙｅｓ）、ＣＰＵ１１は、Ｓ５０４の処理をスキップする。次に、ＣＰＵ１１は、通話を終了したか否かを判断し（Ｓ２１２）、通話が終了していない場合（Ｓ２１２：Ｎｏ）、Ｓ２０６から処理を繰り返す。
【００６３】
一方、ＲＳＳＩの値が所定値未満であると判断される場合（Ｓ２０８：Ｎｏ）、ＣＰＵ１１は、選択モードメモリ１３ａにＦＡＸモードが設定されているか否かを判断する（Ｓ５０６）。
【００６４】
そして、ＦＡＸモードが設定されていると判断される場合（Ｓ５０６：Ｙｅｓ）、ＣＰＵ１１は、選択モードメモリ１３ａに設定されるモードを、スキャンモードまたはコピーモードのいずれかに切替える（Ｓ５０８）。すなわち、ＭＦＰ１は、子機４０と外部装置１０２との間で通話が行われている間において、子機４０がＭＦＰ１の所定範囲外に存在すると判断される場合には、ＦＡＸモードの設定を禁止する。よって、子機４０での通話開始前にＦＡＸモードが設定されていた場合であっても、誤ったファクシミリ送信が実行されてしまうことを抑制できる。
【００６５】
一方、ＲＳＳＩの値が所定値未満であると判断される場合において（Ｓ２０８：Ｎｏ）、ＦＡＸモード以外のモードが設定されていると判断される場合（Ｓ５０６：Ｎｏ）、ＣＰＵ１１は、Ｓ５０８の処理をスキップする。次に、ＣＰＵ１１は、通話を終了したか否かを判断し（Ｓ２１２）、通話が終了していない場合（Ｓ２１２：Ｎｏ）、Ｓ２０６から処理を繰り返す。
【００６６】
第３実施形態のＭＦＰ１によれば、ＭＦＰ１の所定範囲外に子機４０が存在すると判断される場合、ＦＡＸモードの設定が禁止されるので、誤ったファクシミリ送信が実行されてしまうことを抑制できる。
【００６７】
図５（ｂ）は、第３実施形態のＭＦＰ１のＣＰＵ１１が実行するスタートキー押下時処理である。この処理は、第１実施形態のスタートキー押下時処理と同様、子機監視処理とは独立して定期的に実行される。図５（ｂ）に示す第３実施形態のスタートキー押下時処理は、Ｓ３１０の判断「ＦＡＸ送信禁止フラグがオンか？」を有しない点において、図３に示す第１実施形態のスタートキー押下時処理と異なるが、その他の点は第１実施形態のスタートキー押下時処理と同一であるため、同一の符号を付して説明を省略する。
【００６８】
図６を参照して第４実施形態について説明する。第４実施形態のＭＦＰ１の電気的構成は、第１実施形態におけるＭＦＰ１と同一のものであるとして説明を行う。また、第４実施形態におけるＭＦＰ１のＣＰＵ１１によって実行される子機監視処理は、第１実施形態の子機監視処理と一部が異なる。以下、第１実施形態と同一の部分には同一の符号を付してその説明を省略し、第１実施形態と異なる点について説明する。
【００６９】
図６は、第４実施形態のＭＦＰ１のＣＰＵ１１が実行する子機監視処理を示すフローチャートである。まず、子機４０と外部装置１０２との間で通話が行われていると判断される場合（Ｓ２０４：Ｙｅｓ）、ＣＰＵ１１は、スタートキー１５ａが押下されたか否かを判断する（Ｓ６０２）。そして、スタートキー１５ａが押下されない場合（Ｓ６０２：Ｎｏ）、ＣＰＵ１１は、Ｓ２０４から処理を繰り返す。
【００７０】
一方、Ｓ６０２の判断が肯定される場合（Ｓ６０２：Ｙｅｓ）、すなわち、子機４０と外部装置１０２との間で通話が行われている間に、スタートキー１５ａにより処理の実行指示を受付けた場合、ＣＰＵ１１は、選択モードメモリ１３ａに設定されているモードを判断する（Ｓ６０４）。選択モードメモリ１３ａにスキャンモードまたはコピーモードが設定されている場合（Ｓ６０４：ＳＣＡＮorＣＯＰＹ）、ＣＰＵ１１は、設定されているモードに対応した各処理を実行する（Ｓ６０６）。次に、ＣＰＵ１１は、通話が終了したか否かを判断し（Ｓ２１２）、通話が終了しない場合（Ｓ２１２：Ｎｏ）、Ｓ６０２から処理を繰り返す。
【００７１】
一方、スタートキー１５ａにより処理の実行指示を受付けた場合であって（Ｓ６０２：Ｙｅｓ）、選択モードメモリ１３ａにＦＡＸモードが設定されていると判断される場合（Ｓ６０４：ＦＡＸ）、ＣＰＵ１１は、ＲＳＳＩを取得し（Ｓ２０６）、ＲＳＳＩの値が所定値以上であるか否かに基づいて、子機４０がＭＦＰ１の所定範囲外に存在するか否かを判断する。
【００７２】
ＲＳＳＩの値が所定値未満であると判断される場合（Ｓ２０８：Ｎｏ）、ＣＰＵ１１は、ファクシミリ送信を実行しない。子機４０で通話中のユーザと、スタートキー１５ａを押下したユーザとが別人である可能性が高いからである。次に、ＣＰＵ１１は、ファクシミリ送信の禁止を知らせるメッセージを、ＬＣＤ１６に表示する（Ｓ６０８）。これにより、スタートキー１５ａが押下したユーザに、ファクシミリ送信の禁止を知らせる。次に、ＣＰＵ１１は、通話を終了したか否かを判断し（Ｓ２１２）、通話が終了していない場合（Ｓ２１２：Ｎｏ）、Ｓ６０２から処理を繰り返す。
【００７３】
一方、ＲＳＳＩの値が所定値以上であると判断される場合（Ｓ２０８：Ｙｅｓ）、ＣＰＵ１１は、子機４０と外部装置１０２との間の通話を終了させる（Ｓ６１０）。そして、ＣＰＵ１１は、所定位置に載置された原稿をスキャナ２１により読み取らせ、スキャナ２１により生成されたデータを、直前までの通話相手であった外部装置１０２へ送信する（Ｓ６１２）。そして、回線切断など公知の処理を実行し、子機監視処理を終了する。
【００７４】
第４実施形態のＭＦＰ１によれば、ＭＦＰ１の所定範囲外において、子機４０が使用されている間に、ＭＦＰ１においてスタートキー１５ａが押下された場合であっても、誤送信の発生を抑制できる。
【００７５】
上記実施形態において、ＭＦＰ１が親機の一例に相当する。選択モードメモリ１３ａが設定手段の一例に相当する。スタートキー１５ａが操作部の一例に相当する。スタートキー１５ａの押下が処理の実行指示の一例に相当する。スキャナ２１が生成手段の一例に相当する。Ｓ２０８を実行するＣＰＵ１１が子機位置判断手段の一例に相当する。Ｓ３１８，Ｓ６１２を実行するＣＰＵ１１が送信手段の一例に相当する。Ｓ２１１，Ｓ５０８，Ｓ６０８を実行するＣＰＵ１１が禁止手段の一例に相当する。Ｓ４０２を実行するＣＰＵ１１が原稿判断手段の一例に相当する。Ｓ５０４を実行するＣＰＵ１１がモード切替手段の一例に相当する。
【００７６】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００７７】
例えば、上記実施形態では、ＲＳＳＩの値に基づいて、子機４０がＭＦＰ１の所定範囲外に存在するか否かを判断していたが、他の方法により、同様の判断を行っても良い。例えば、子機のマイクロフォンにより集音される音声が、親機のマイクロフォンによっても集音される場合、親機の所定範囲内に子機が存在していると判断する一方で、子機のマイクロフォンにより集音される音声が、親機のマイクロフォンでは集音されない場合、親機の所定範囲外に子機が存在していると判断しても良い。
【００７８】
また、子機のマイクロフォンにより集音される音声の話者、および親機のマイクロフォンによって集音される音声の話者を認識し、それらが同一人物であると判断される場合、親機の所定範囲内に子機が存在していると判断しても良い。
【００７９】
また、マイクロフォンで集音される音声およびＲＳＳＩの値の両方を利用して、親機の所定範囲外に子機が存在するか否かを判断しても良い。
【００８０】
また、上記第１実施形態から第４実施形態の特徴を適宜組み合わせても良い。例えば、第１実施形態および第２実施形態においては、ＲＳＳＩの値が所定値未満である場合（Ｓ２０８：Ｎｏ）、ＦＡＸ送信禁止フラグ１３ｂをオンとしていた。これに代えて、ＲＳＳＩの値が所定値未満である場合（Ｓ２０８：Ｎｏ）、ＦＡＸモード以外のモードを自動的に選択するように第１実施形態および第２実施形態の子機監視処理を変形しても良い。
【００８１】
また、「データの送信を禁止する」ことについては、データの送信を禁止する、外部装置へデータを送信するモード（例えばＦＡＸモード）の設定を禁止する、外部装置へデータを送信するモードの設定は許容するが、当該モードの全機能の実行を禁止する、データの送信指示を受付けるキーを無効化するなど、種々の変形例が考えられる。
【００８２】
また、上記実施形態では、ファクシミリ送信を禁止していたが、例えば、インターネットを介して電子メールを送信する場合など、ファクシミリ以外の他の通信方式で外部装置へデータを送信する場合においても、本発明を適用可能である。
【００８３】
また、上記実施形態のＭＦＰ１のＬＣＤ１６の表示面に、タッチパネル（図示せず）が設けられ、ＬＣＤ１６に表示されたボタンがタッチされた場合に、データの送信を実行するように構成されている場合にも、本発明は適用可能である。この場合、ＬＣＤ１６に表示されたボタンが操作部の一例に相当する。
【００８４】
また、上記実施形態のＭＦＰ１は、１台の子機４０との間で無線通信３００を実行するものであったが、複数台の子機４０との間で無線通信３００を実行するものであっても良い。その場合、複数台の子機４０のうち、外部装置１０２との間で通話を行っている子機４０（すなわち通話に使用中の子機４０）が、ＭＦＰ１の所定範囲外に存在する場合に、データの送信を禁止するように構成しても良い。
【符号の説明】
【００８５】
１              ＭＦＰ
１３ａ          選択モードメモリ
１５ａ          スタートキー
２１            スキャナ
４０            子機
１０２          外部装置
【図１】
0005609432.tif 000002
【図２】
0005609432.tif 000003
【図３】
0005609432.tif 000004
【図４】
0005609432.tif 000005
【図５】
0005609432.tif 000006
【図６】
0005609432.tif 000007